(57)【要約】【課題】地表水を迅速に排水させるとともに、表面水の一部を深層基礎に流入させて地下水に補充する基礎保水透水構造及びその蓄水システムを提供する。【解決手段】基礎保水透水構造は、基礎２を備える。基礎２は、複数の孔２１を有するとともに、基礎２上には土石漏れ防止層３が敷設される。土石漏れ防止層３には、基礎２の孔２１に対応した箇所に孔３１が形成され、土石漏れ防止層３上には透水敷設面４が敷設される。基礎２の孔２１中には注水管１が設置される。注水管１の周壁には、複数の貫通孔３１が形成されている。透水敷設面４は、複数の透水ブロック４１の組合せにより構成される上、注水管１に対応した箇所が土石漏れ防止層３の厚さより大きな厚さを有する。透水ブロック４１は、土石漏れ防止層３に挿設され、基礎２内に位置する注水管１上端の管口に接触される底面を有する。【選択図】図１
2015151731.tif 000002
【特許請求の範囲】
【請求項１】
基礎を備える基礎保水透水構造であって、
前記基礎は、複数の孔を有するとともに、前記基礎上には土石漏れ防止層が敷設され、
前記土石漏れ防止層には、前記基礎の前記孔に対応した箇所に孔が形成され、前記土石漏れ防止層上には透水敷設面が敷設されることを特徴とする基礎保水透水構造。
【請求項２】
前記基礎の前記孔中には注水管が設置され、
前記注水管の周壁には、複数の貫通孔が形成されていることを特徴とする請求項１に記載の基礎保水透水構造。
【請求項３】
前記透水敷設面は、複数の透水ブロックの組合せにより構成される上、前記注水管に対応した箇所が前記土石漏れ防止層の厚さより大きな厚さを有し、
前記透水ブロックは、前記土石漏れ防止層に挿設され、前記基礎内に位置する前記注水管上端の管口に接触される底面を有することを特徴とする請求項２に記載の基礎保水透水構造。
【請求項４】
前記透水敷設面は、複数の透水ブロックの組合せにより構成される上、前記注水管に対応した透水ブロックがＴ字状を呈し、
前記Ｔ字状の透水ブロックは、上側ブッシュが前記土石漏れ防止層上に敷設され、前記上側ブッシュ下に凸部が接続されて前記土石漏れ防止層よりも大きい厚さを有し、前記凸部が前記土石漏れ防止層に挿設され、前記基礎内に位置する前記注水管の上端管口に前記凸部底面が接続されることを特徴とする請求項２に記載の基礎保水透水構造。
【請求項５】
基礎を備える基礎保水透水構造の蓄水システムであって、
前記基礎には、蓄水槽が掘設され、
前記蓄水槽には、粒状の支持物が収容され、複数の注水孔が槽底に穿設され、
前記支持物上方の前記基礎には複数の孔が形成されるとともに、前記支持物上方の前記基礎上には、土石漏れ防止層が敷設され、
前記土石漏れ防止層は、前記基礎の前記孔に対応した箇所に形成された孔を有し、前記土石漏れ防止層上には、透水敷設面が敷設されていることを特徴とする基礎保水透水構造の蓄水システム。
【請求項６】
前記支持物上方の前記基礎の前記孔中には、注水管が設置され、
前記注水管は、周壁に複数の貫通孔が形成され、前記土石漏れ防止層の前記孔に上端が挿設され、前記透水敷設面に上端管口が接触され、
前記注水管が前記蓄水槽内の前記支持物に挿通されると、前記注水管の底端が前記蓄水槽の槽底の前記注水孔中に挿設されることを特徴とする請求項５に記載の基礎保水透水構造の蓄水システム。
【請求項７】
前記蓄水槽の槽口、槽壁及び槽底のうちの少なくとも何れか１箇所には、支持フレームが架設され、
前記支持フレームには、複数の中空孔が形成されていることを特徴とする請求項５に記載の基礎保水透水構造の蓄水システム。
【請求項８】
前記透水敷設面は、複数の透水ブロックの組合せにより構成される上、前記支持物上方の前記基礎の前記孔中には、注水管が設置され、
前記注水管の周壁には、複数の貫通孔が形成され、
前記透水敷設面の前記注水管に対応した前記透水ブロックの厚さは、前記土石漏れ防止層の厚さより大きく、前記透水ブロックが前記土石漏れ防止層に挿設され、前記透水ブロックの底面が、前記基礎内に位置する前記注水管上端の管口に接触され、
前記注水管が前記蓄水槽内の前記支持物に挿通されると、前記注水管の底端が前記蓄水槽の槽底の前記注水孔中に挿設されることを特徴とする請求項５に記載の基礎保水透水構造の蓄水システム。
【発明の詳細な説明】
【技術分野】
【０００１】
本発明は、基礎保水透水構造及びその蓄水システムに関し、特に、地表水を迅速に排水させるとともに、表面水を深層基礎に流入させて地下水に補充する基礎保水透水構造及びその蓄水システムに関する。
【背景技術】
【０００２】
一般の路面は土壌などの基礎上にコンクリート層を直接打設するか、基礎上に粒土を敷設してから、その上にコンクリート層を打設するが、コンクリートが透水性を備えていないため、コンクリート層により表面水が下方の土壌基礎中へ滲み込まず、雨が降った場合、地表水の大部分が周辺の排水溝に流れ込んで海まで流れる。そのため、排水溝の排水が間に合わなくなったり詰まったりした場合、雨水を適宜排水することができず、水が溜まって災害が発生することがある上、粒土の基礎中へ地表水が適宜供給されない場合、土壌基礎内の地下水が徐々に減って地盤沈下したり大地の気温調整機能が失われたりするなどの問題が生じる虞があった。
【０００３】
そのため、従来の基礎保水透水方式は、図１０に示すように、粒土などの基礎７上に粒土８を敷設し、粒土８上には透水舗設面９が敷設されている。雨が降ると、雨水が透水舗設面９から粒土８を通って基礎７中に流入される。
この方式の場合、実際には地表水が透水舗設面９に滲込むと、透水舗設面９内で地表水が周辺に向かってゆっくりと流れ、地表水の一部が土壌基礎７中に流入されるが、地表に自然に滲込む量が降雨量より少ない場合、地表水の大部分が周辺へ向かって排水溝に流れ込むため、地表水の一部が土壌基礎７内に流入されずに地表に溜まってしまい、土壌基礎７内の地下水へ地表水を効率良く補充することができないという問題点があった。
【発明の概要】
【発明が解決しようとする課題】
【０００４】
本発明の目的は、地表水を迅速に排水させるとともに、表面水の一部を深層基礎に流入させて地下水に表面水を補充する基礎保水透水構造及びその蓄水システムを提供することにある。
【課題を解決するための手段】
【０００５】
上記課題を解決するために、本発明の第１の形態によれば、基礎を備える基礎保水透水構造であって、前記基礎は、複数の孔を有するとともに、前記基礎上には土石漏れ防止層が敷設され、前記土石漏れ防止層には、前記基礎の前記孔に対応した箇所に孔が形成され、前記土石漏れ防止層上には透水敷設面が敷設されることを特徴とする基礎保水透水構造が提供される。
【０００６】
前記基礎の前記孔中には注水管が設置され、前記注水管の周壁には、複数の貫通孔が形成されていることが好ましい。
【０００７】
前記透水敷設面は、複数の透水ブロックの組合せにより構成される上、前記注水管に対応した箇所が前記土石漏れ防止層の厚さより大きな厚さを有し、前記透水ブロックは、前記土石漏れ防止層に挿設され、前記基礎内に位置する前記注水管上端の管口に接触される底面を有することが好ましい。
【０００８】
前記透水敷設面は、複数の透水ブロックの組合せにより構成される上、前記注水管に対応した透水ブロックがＴ字状を呈し、前記Ｔ字状の透水ブロックは、上側ブッシュが前記土石漏れ防止層上に敷設され、前記上側ブッシュ下に凸部が接続されて前記土石漏れ防止層よりも大きい厚さを有し、前記凸部が前記土石漏れ防止層に挿設され、前記基礎内に位置する前記注水管の上端管口に前記凸部底面が接続されることが好ましい。
【０００９】
上記課題を解決するために、本発明の第２の形態によれば、基礎を備える基礎保水透水構造の蓄水システムであって、前記基礎には、蓄水槽が掘設され、前記蓄水槽には、粒状の支持物が収容され、複数の注水孔が槽底に穿設され、前記支持物上方の前記基礎には複数の孔が形成されるとともに、前記支持物上方の前記基礎上には、土石漏れ防止層が敷設され、前記土石漏れ防止層は、前記基礎の前記孔に対応した箇所に形成された孔を有し、前記土石漏れ防止層上には、透水敷設面が敷設されていることを特徴とする基礎保水透水構造の蓄水システムが提供される。
【００１０】
前記支持物上方の前記基礎の前記孔中には、注水管が設置され、前記注水管は、周壁に複数の貫通孔が形成され、前記土石漏れ防止層の前記孔に上端が挿設され、前記透水敷設面に上端管口が接触され、前記注水管が前記蓄水槽内の前記支持物に挿通されると、前記注水管の底端が前記蓄水槽の槽底の前記注水孔中に挿設されることが好ましい。
【００１１】
前記蓄水槽の槽口、槽壁及び槽底のうちの少なくとも何れか１箇所には、支持フレームが架設され、前記支持フレームには、複数の中空孔が形成されていることが好ましい。
【００１２】
前記透水敷設面は、複数の透水ブロックの組合せにより構成される上、前記支持物上方の前記基礎の前記孔中には、注水管が設置され、前記注水管の周壁には、複数の貫通孔が形成され、前記透水敷設面の前記注水管に対応した前記透水ブロックの厚さは、前記土石漏れ防止層の厚さより大きく、前記透水ブロックが前記土石漏れ防止層に挿設され、前記透水ブロックの底面が、前記基礎内に位置する前記注水管上端の管口に接触され、前記注水管が前記蓄水槽内の前記支持物に挿通されると、前記注水管の底端が前記蓄水槽の槽底の前記注水孔中に挿設されることが好ましい。
【発明の効果】
【００１３】
本発明の基礎保水透水構造及びその蓄水システムは、雨が降ると、透水敷設面の地表水が基礎に埋設された注水管に向かって迅速に集められて蓄水槽に流入し、地面の雨水が蓄水槽に大量に溜ると、蓄水槽の槽底に形成した注水孔から深層の基礎中へ流入するため、地表水を迅速に排水させることができる。
また、表面水を深層基礎に流入させて地下水へ表面水を補充することができ、注水管に泥土が堆積した場合には、注水管に対応した透水敷設面の透水ブロックを取外して注水管の管口を露出させることができるため容易に注水管の洗浄を行ってメンテナンスすることができる。
【図面の簡単な説明】
【００１４】
【図１】本発明の第１実施形態に係る基礎保水透水構造及びその蓄水システムを示す断面図である。
【図２】本発明の第２実施形態に係る基礎保水透水構造及びその蓄水システムを示す断面図である。
【図３】本発明の第３実施形態に係る基礎保水透水構造及びその蓄水システムを示す断面図である。
【図４】本発明の第４実施形態に係る基礎保水透水構造及びその蓄水システムを示す断面図である。
【図５】本発明の第５実施形態に係る基礎保水透水構造及びその蓄水システムを示す断面図である。
【図６】本発明の洗浄管内に泥土が溜まったときの状態を示す断面図である。
【図７】本発明の第６実施形態に係る基礎保水透水構造及びその蓄水システムを示す断面図である。
【図８】本発明の第７実施形態に係る基礎保水透水構造及びその蓄水システムを示す断面図である。
【図９】本発明の第８実施形態に係る基礎保水透水構造及びその蓄水システムを示す断面図である。
【図１０】従来構造の断面図である。
【発明を実施するための形態】
【００１５】
以下、本発明の実施形態について図に基づいて説明する。なお、これによって本発明が限定されるものではない。
【００１６】
（第１実施形態）
図１を参照する。図１に示すように、本発明の第１実施形態に係る基礎保水透水構造は、中空状であり、周壁に複数の貫通孔１１を有する注水管１の底端に衝撃頭部１２が設けられている。注水管１の上端には、他の注水管１が複数段接続されている。
衝撃頭部１２が注水管１とともに所定の集水位置の土壌基礎２中に打ち込まれ、基礎２は孔２１を有し、基礎２の土壌は、衝撃頭部１２の排土溝１２１に沿って排出される。衝撃頭部１２により注水管１を基礎２中に深く挿入した後、基礎２上に土石漏れ防止層３を敷設する。
土石漏れ防止層３は、セメントモルタル層、粒土層、織布層、不織布層などでもよい。土石漏れ防止層３は、注水管１に対応した箇所には敷設されず、土石漏れ防止層３の注水管１が対応した箇所には孔３１が形成され、土石漏れ防止層３が凝固した後、土石漏れ防止層３上に透水敷設面４が敷設される。透水敷設面４は、複数の透水ブロック４１が組み合わされて構成され、注水管１に対応した透水敷設面４の底面が注水管１の上端管口に接触される。
【００１７】
雨が降ると、透水敷設面４に滲みた雨水が注水管１に迅速に集められ、注水管１中に大量に注入されるとともに、基礎２内に挿入された複数の注水管１の周壁には、複数の貫通孔１１が形成されているため、地表水が基礎２に滲込む面積が増大するとともに、地表水が基礎２中に奥深く注入されるため、地表を流れて迅速に排水され、地表水を基礎２へ戻す補充効果を得る。
【００１８】
（第２実施形態）
図２を参照する。図２に示すように、本発明の第２実施形態に係る基礎保水透水構造は透水敷設面４の透水ブロック４２の他の形態であり、注水管１に対応した透水ブロック４２の厚さは、土石漏れ防止層３の厚さより大きく、透水ブロック４２が土石漏れ防止層３に挿設されると、透水ブロック４２の底面が基礎２まで延びて基礎２内の注水管１の上端管口と接触し、注水管１に対応した透水ブロック４２の底面と注水管１の上端管口との間には、接続構造が設けられる（図３参照）。
【００１９】
（第３〜５実施形態）
本発明の第３実施形態に係る基礎保水透水構造は、注水管１の上端管口に対応した透水ブロック４２底面には、嵌合溝４２１が形成され、注水管１の上端管口の管壁に対応するように内側に嵌合されるか、図４の第４実施形態に係る基礎保水透水構造のように、注水管１に対応した透水ブロック４２の底面には、凹部４２２が形成され、注水管１の上端管口を透水敷設面４の凹部４２２中に嵌合させるか、図５の第５実施形態に係る基礎保水透水構造のように、透水敷設面４の透水ブロック４３のもう一つの形態により、注水管１に対応した透水ブロック４３はＴ字状を呈する。
Ｔ字状の透水ブロック４３は、上側ブッシュ４３１が土石漏れ防止層３上に敷設され、上側ブッシュ４３１下に凸部４３２が接続されているため、土石漏れ防止層３の厚さよりも大きい厚さを有し、凸部４３２を土石漏れ防止層３へ挿通させると凸部４３２底面が基礎２まで延び、基礎２内に位置する注水管１の上端管口に嵌合される。この構成により地表水が透水敷設面４に滲込むと、地表水が集められて注水管１に対応した透水ブロック４２，４３の相対位置が低めの箇所へ向かって流動するため、注水管１内に進入する地表水の水量を増やすことができる。
【００２０】
一定期間使用した後、注水管１内に泥土が溜まって注水管１の排水量が低下した場合、図６を併せて見ると分かるように、管内の泥土を洗浄する。
実際には、注水管１に対応した透水ブロック４３（透水ブロック４１，４２も同様である）を透水敷設面４から取外して注水管１の管口を露出させ、強力な水柱で管口から注水管１内部の泥土を洗浄した後、注水管１に対応した透水ブロック４２を透水敷設面４へ再び取り付けて元の状態に回復させる。そのため本発明はメンテナンス作業を簡便に行うことができる。
【００２１】
（第６実施形態）
図７を参照する。図７に示すように、本発明の第６実施形態に係る基礎保水透水構造は、ドリル装置で基礎２に注水可能な孔２１を所定深度まで形成した後、基礎２表面に土石漏れ防止層３を敷設する。しかし基礎２の孔２１に対応した箇所には、土石漏れ防止層３は敷設されず、土石漏れ防止層３には、基礎２の孔２１に対応した孔３１が形成され、その後、土石漏れ防止層３上に透水敷設面４を敷設する。これにより地表水が透水敷設面４で集められ、基礎２の複数の孔２１中に流れ込んで地表水が補充される。
【００２２】
（第７実施形態）
また、本発明の基礎保水透水構造を玉石層、岩層など、硬めの基礎２に応用した場合、図８に示すように、本発明の第７実施形態に係る基礎保水透水構造は、まず、基礎２にドリルで複数の孔２１を穿設してから、基礎２の孔２１中へ注水管１を設置して土石漏れ防止層３を敷設し、土石漏れ防止層３には、基礎２の孔２１に対応した孔３１が形成され、土石漏れ防止層３上に透水敷設面４を敷設すると、玉石層又は岩層などの硬い基礎２は、基礎保水透水構造の効果を得る。
【００２３】
（第８実施形態）
図９を参照する。図９に示すように、本発明の第８実施形態に係る基礎保水透水構造は、所定の集水領域の基礎２上に設置されている。
基礎２には、蓄水槽２２が掘設される。蓄水槽２２内には、小石などの粒状の支持物５が収容され、蓄水槽２２の槽底には、複数の注水孔２３が穿設される。蓄水槽２２の槽底、槽壁及び槽口には、支持フレーム６が架設される。支持フレーム６は、必要に応じて蓄水槽２２の槽底、槽壁及び槽口のうちの少なくとも何れか１箇所に設置される。支持フレーム６は蛇篭である。蛇篭は、鉄線、スチール柵などからなり、第８実施形態ではスチール柵が採用されている。
このスチール柵製蛇篭は、複数の縦向き鋼棒と、縦向き鋼棒に交錯された複数の横向き鋼棒とから構成され、縦向き鋼棒と横向き鋼棒との間には、中空孔６１が形成され、蓄水槽２２の槽口に位置する支持フレーム６が粒状の支持物５の上方に架設され、槽口に位置する支持フレーム６上に土壌又は粒土の基礎２が敷設されて蓄水槽２２の槽口が平らに充填され、蓄水槽２２の槽口の基礎２上に基礎保水透水構造の土石漏れ防止層３及び透水敷設面４が敷設され、注水管１の上端には、土石漏れ防止層３の孔３１が穿設され、上端管口と透水敷設面４とが接触され、蓄水槽２２の槽口の支持フレーム６には、注水管１が挿設され、粒状の支持物５と、蓄水槽２２の槽底に架設した支持フレーム６とを介し、注水管１の底端が蓄水槽２２の槽底の注水孔２３中に挿設されている。このため、雨が降ると透水敷設面４から注水管１に雨水が流れ込み、注水管１に形成された貫通孔１１を介して蓄水槽２２中に流れ込んで一時的に溜められ、雨が弱くなって注水管１内の水圧が蓄水槽２２内に溜まった水圧より小さくなると、蓄水槽２２内に一時的に溜められた雨水が水圧により注水管１の貫通孔１１を介して注水管１内に流れ込む。
注水管１を介して深層基礎２内に雨水が流入すると、梅雨又は台風の季節に大量の雨が降っても本発明の基礎保水透水構造の集水システムは、雨水の流れを効果的に分散させて洪水の発生を防ぐことができる。注水管１内に泥土などが溜まったときには、注水管１に対応したＴ字状の透水ブロック４３を取外して注水管１を洗浄し、洗浄が完了した後に再び取付ける。そのため容易にメンテナンスを行い、使用寿命を延ばすことができる。
【００２４】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２５】
１      注水管
２      基礎
３      土石漏れ防止層
４      透水敷設面
５      支持物
６      支持フレーム
７      基礎
８      粒土
９      透水舗設面
１１    貫通孔
１２    衝撃頭部
２１    孔
２２    蓄水槽
２３    注水孔
３１    孔
４１    透水ブロック
４２    透水ブロック
４３    透水ブロック
６１    中空孔
１２１  排土溝
４２１  嵌合溝
４２２  凹部
４３１  ブッシュ
４３２  凸部
【図１】
2015151731.tif 000003
【図２】
2015151731.tif 000004
【図３】
2015151731.tif 000005
【図４】
2015151731.tif 000006
【図５】
2015151731.tif 000007
【図６】
2015151731.tif 000008
【図７】
2015151731.tif 000009
【図８】
2015151731.tif 000010
【図９】
2015151731.tif 000011
【図１０】
2015151731.tif 000012